Podtech/llm-jp-corpus-v4-ja_patent huggingface dataset:
(57)【要約】【課題】様々なフイギュアー（模様）が見える固形キャンディーの生産。【解決手段】モールド内の半硬化状態にあるベースキャンディー（ロ）にフイギュアーを型取りした押型（ニ）により凹状のフイギュアー形を形成し、その中にフイギュアー素材を注入し、上部から透明なベースキャンディー（ロ）を注入する。【効果】フイギュアー素材は、外周キャンディーの内部に封入出来るので、流動性のある様々な素材や香料の使用が可能。【選択図】図２
2013220094.tif 000002
【特許請求の範囲】
【請求項１】
固形キャンディー製品の一部に異色、異香料又は異成分から成るフイギュアー素材部を持つキャンディーをモールド成形する方法において、
ａ）先ず、第一ステップで、モールドに有色透明又は無色透明の煮詰め済みキャンディーベースを注入すること。
ｂ）第二ステップで、ベースキャンディーが半硬化する時間の経過後、モールド上部よりフイギュアーを型取りした押型を押し込み、半硬化状のベースキャンディーに凹型のフイギュアーを形成すること。
ｃ）第三ステップとして、ベースキャンディーの凹型のフイギュアー部分にベースキャンディーとは異色の素材をベースキャンディーの上部表面以下のレベル迄注入すること。
ｄ）第四のステップとして、ベースキャンディー及びフイギュアー部素材の上部にフイギュアー部素材とは異色透明なキャンディーを注入すること。
以上の工程の一部又は全部を使用してフイギュアー入りキャンディーを製造する方法。
【請求項２】
発明製品のフイギュアーを形成する方法として、フイギュアーを型取りした押型を使用してベースキャンディーにフイギュアーの凹型を形成すること。
【請求項３】
原料成分に凝固剤（ゼラチン、ペクチン等）を含有するキャンディーの請求項１及び２の製造方法。
【発明の詳細な説明】
【技術分野】
【０００１】本発明は製品内に様々なフイギュアーを持つ各種砂糖（シュガーフリーシロップを含む）菓子の成形方法に関するもので、個々の製品内に様々な魅力や興味ある複雑形状のフイギュアーを有するキャンディーを産業ベースで生産することが出来る製造技術に関するものである。
【背景技術】
【０００２】センター入りのキャンディーやストライプ模様入りのキャンディーの存在は周知であり、これらのキャンディーは２重構造ノズルを使用して、それぞれ異種又は異色の素材をモールドに同時注入する方法で容易に生産可能であるが、同様な製造方法により本発明の複雑なフイギュアーを持つキャンディーの産業ベース生産は技術的に困難であった。
【発明が解決しようとする課題】
【０００３】本発明は、従来の方法では生産出来なかった複雑なフイギュアーを持つキャンディーを産業ベースで生産出来る製造方法であり、更に、フイギュアー部をジャムやチョコレートクリーム等の流動性素材も使用出来る利点がある。
【課題を解決するための手段】
【０００４】本発明は、先ず、キャンディーの成形モールド（ハ）にベースキャンディー（ロ）の一部を注入し、ベースキャンディー（ロ）が半硬化する時間の経過後、上部からフイギュアーを型取りした押型を押し当てベースキャンディー（ロ）に凹状のフイギュアーを形成し、その凹型にフイギュアー素材（イ）を注入後、上部にフイギュアー素材（イ）とは異色で透明なベースキャンディー（ロ）を注入し、フイギュアー素材（イ）を封入して冷却硬化後、モールド（ハ）から取り出す製造方法である。
【図面の簡単な説明】
【０００５】
【図１】本発明のフイギュアーも持つキャンディーのイラスト断面図で、丸形外形キャンディーの内部に例えば（ａ）花びら（ｂ）ハート形（ｃ）リンゴのフイギュアーが見える固形キャンディー例であり無色又は有色透明ベースキャンディー（ロ）の内部に封入されているフイギュアーの素材（イ）は様々なキャンディーの他ジェリージャムチョコレートクリーム等流動性のある素材を使用することが出来る。
【図２】本発明のフイギュアーを持つ固形キャンデイーの製造方法を示す工程図であり、図中（１）は固形キャンディーのモールド（ハ）に無色又は有色透明なベースキャンディー（ロ）の一部注入した状態。図の（２）はベースキャンディー（ロ）が硬化する一定時間の経過後、フイギュアーを型取りした押型をベースキャンディー（ロ）に押し込み凹型のフイギュアーを形成する図。図中（３）はベースキャンディー（ロ）の凹型フイギュアー部にベースキャンデイ（ロ）とは異色のフイギュアー素材（イ）をベースキャンデイー（ロ）の上部表面以下のレベルまで注入した状態。図中（４）は、下部ベースキャンディー（ロ）及びフイギュアー素材（イ）の上部に無色又は有色透明でフイギュアー素材（イ）とは異色の透明なベースキャンディー（ロ）を注入した図。図中（５）は、一定時間の冷却硬化後、キャンディーをモールド（ハ）から取り外した状態。
【図１】
2013220094.tif 000003
【図２】
2013220094.tif 000004
(57)【要約】【課題】素材である納豆を新しく食品にする事【解決手段】納豆の成分の力を作用させて、チーズマヨネズーを作り出す。【選択図】なし【特許請求の範囲】
【請求項１】
納豆成分が油脂を乳化する作用を借りて作り出すチーズ。
【請求項２】
納豆成分が油脂を乳化する作用を借りて作り出すマヨネズー。
【発明の詳細な説明】
【技術分野】
【０００１】本発明は納豆の成分でチーズ及びマヨネズを製造する。
【背景技術】
【０００２】従来の納豆は単純な素材であった。
【発明の開示】
【発明が解決しようとする課題】
【０００３】新しく納豆食品を造り出す事を課題とする。
【課題を解決するための手段】
【０００４】この課題を解決するための請求項１の発明は食用固形油脂と塩で活性を抑えた塩納豆を混ぜ合せすりつぶし納豆と油脂が一体化すると納豆チーズが生れる。【０００５】請求項２の発明は納豆をかくはんするとネバリが表面化してくると水分を加え流動化した成分を木綿の袋でこして食用油脂とかくはんしながら食用酢を添加すると納豆マヨネズーが生れる。
【発明効果】
【０００６】本発明は納豆のネバリ成分が、油脂を乳化すると言う事の事実を発険する事で可能にした商品で新しい納豆食品が生れた。
【作用と実施例】
【０００７】納豆菌の活性を抑える為に塩納豆を作り食用固形油脂とすり合せると納豆成分が食用固形油脂を乳化して納豆チーズが生れた。
【０００８】納豆のネバリ成分を取り出し食用油脂とかくはんすると乳化し一体になり食用酢を添加すると乳化が安定し納豆マヨネズー生れる。
【産業上の利用可能性】
【０００９】本発明係る納豆チーズ及びマヨネズは工業的に量産する事が可能で産業上の利用可能性を有する
【図面範単な説明】
【００１０】無し
(57)【要約】【課題】  冬季の菌床椎茸の栽培ハウス内で、暖房機を使用することで乾燥が生じる。この乾燥は榾木から水分を奪い、榾木の表皮を硬くし、椎茸の発茸を阻害する。そこで、この乾燥を防ぐ為に、従来、ミスト装置を使用し、水を霧状にして榾木に直接散水を行ってきた。  しかし、直接水がかかり、湿度が高くなると雨子が発生する。  加えて、湿度ムラが栽培ハウス内で生じるので、栽培した椎茸の均一化が難しかった。  そこで、この湿度ムラを解消し、栽培ハウス内の榾木に万遍なく適度な水分が行き渡るようにし、結果的に、均一で、高品質な椎茸の生産を可能にする。【解決手段】  菌床椎茸の栽培ハウスで使用される暖房機の送風ビニールダクト内で散水する。【選択図】図２
2013220080.tif 000002
【特許請求の範囲】
【請求項１】
菌床椎茸の栽培ハウスで使用する暖房機送風ビニールダクト内に散水装置を設置し散水することで、榾木に対し適度に湿度を与えることを特徴とするハウス内の加湿方法
【発明の詳細な説明】
【技術分野】
【０００１】
本発明は、菌床椎茸の栽培ハウスで使用される暖房機の送風ビニールダクトを利用した加湿方法に関する。
【背景技術】
【０００２】
菌床椎茸の栽培ハウス１で従来使用されてきた図３のミスト装置８は水７を散水することで、冬季に暖房を使用することで生じる栽培棚２内の榾木の乾燥を防ぎ、椎茸の発茸、成長を促進するものである。
【先行技術文献】
【特許文献】
【０００３】
【特許文献１】特開２０１２―１０６２４
【発明の概要】
【発明が解決しようとする課題】
【０００４】
しかしながら、ミスト装置の散水はハウス内に湿度ムラを発生させやすかった。湿度の多い所では、雨子が発生しやすく、少ない所では榾木が乾燥して表面が硬くなり、椎茸が発生しにくい。つまり、生産した椎茸の品質の平均化が困難であり、椎茸の品質を悪化させる要因でもあった。
また、ミスト装置の導入コストは非常に高い。
そして、ミスト装置導入下では、湿度が取れる限界点での湿度を基準に管理を行ってきた。これは、冬季の湿度設定では上限温度が限られているので、椎茸の成長速度を調整することを難しくさせるものであった。
【課題を解決するための手段】
【０００５】
本発明では、暖房ビニールダクト内に散水装置を設置し、散水することにより上記課題を解決する。
【発明の効果】
【０００６】
本発明は、図１にあるように椎茸栽培ハウス栽培棚２下部全体に設置している暖房ビニールダクト３内で、図２が示すように散水装置５を設置し、散水する。
暖房機が出す熱および送風によって散水された水分が気化する。その気化した水分と暖気６が暖房ビニールダクト３に開けてある穴４を通り、栽培棚２の下部から放出され、暖気の上昇特性によって下部から上部の棚において湿度格差を減少させることで均一に榾木に湿度を与えるものである。これによって、生産した椎茸の品質の平均化が図れる。加えて、適度な水分を榾木に与えることができ、榾木の硬さがソフトボール程度の理想な硬さになるので、椎茸が発茸しやすく、高品質な椎茸が発生する環境を作ることができる。
また、ミスト装置が必要ないので導入コストがかからない。加えて、ハウス全体に湿度が行き渡るので温度が下がりにくくなり、暖房機稼働時間が減り、費用の節減につながる。
そして、暖気は付加されたものとなるので、椎茸成長速度の調整及び高品質化への調整を可能とした。
【図面の簡単な説明】
【０００７】
【図１】この発明の全体図を示す。
【図２】この発明の斜視図を示す。
【図３】従来の発明の全体図を示す。
【発明を実施するための形態】
【０００８】
本発明は榾木に対し、直接散水せずに湿度を与えることを可能にした。
【実施例】
【０００９】
本発明の一実施例を図１と図２に示す。
図１が示すように、暖房機から伸びた送風ビニールダクト３をハウス内の栽培棚２の下部全体に配置する。そして、図２が示すように、上記の送風ビニールダクト３内に散水装置を設置し散水する。
【符号の説明】
【００１０】
１  栽培ハウス  ２  栽培棚  ３暖房ビニールダクト  ４  穴  ５  散水装置  ６  気化した水分と暖気  ７  水  ８  ミスト装置
【図１】
2013220080.tif 000003
【図２】
2013220080.tif 000004
【図３】
2013220080.tif 000005
(57)【要約】【課題】従来品のペーパーホルダーにてペーパーカットするときは片手でペーパーカッターを押さえてペーパーをロックさせてから、もう一方の片手でペーパーをカットしていた。この発明品は片手のみでペーパーをカットできるホルダーを提供する。【解決手段】ペーパーホルダー本体（４）の前部にカムロックアーム（１）とカッタープレート（２）を設ける。又、ベースホルダー本体（４）の下部に本体アンダカバー（３）を設けたことを特徴とする。【選択図】図１
2013220341.tif 000002
【特許請求の範囲】
【請求項１】
ペーパーホルダー本体（４）の前部に移動自在に形成したカムロックアーム（１）を設ける。そのカムロックアーム（１）の一端がペーパーに依り押されて移動する。てこの原理か、又は、カムロックアーム（１）が移動することでカムロックアーム（１）のもう一方の端部にてペーパーを本体アンダーカバー（３）との間に挟み込みロックする。その状態のままペーパー端部をカッタプレート（２）に押し付けてカットするペーパーカッター
【発明の詳細な説明】
【技術分野】
【０００１】本発明は、ペーパーホルダーをはじめ、紙、薄板等のカッターに関するものである。
【背景技術】
【０００２】従来品にてペーパーをカットするときは、片手でペーパーカバーカッターを押さえてペーパーをロックしてから、もう一方の片手でペーパーを強く引いてペーパーをカットしていた。（例えば特許文献１参照）
【先行技術文献】
【０００３】
【特許文献１】  特開２００１−３７６７３
【特許文献２】  特開２００２−２４８０６４
【特許文献３】  特開平１０−３３４０８
【発明の概要】
【発明が解決しようとする課題】
【０００４】これは次のような欠点があった。片手が不自由な方が従来品のホルダーにてペーパーカットして使用する事は不可能であった。本発明は片手のみでペーパーをカットするものであり従来品の欠点をなくすためになされたものである。
【課題を解決するための手段】
【０００５】ペーパーホルダー本体（４）の前部にカムロックアーム（１）とカッタープレート（２）を設ける。又、ペーパーホルダー本体（４）下部に本体アンダーカバー（３）を設ける。
又、上部に、上部カバー（５）を設ける。本発明は以上の構成よりなるペーパーホルダー等の簡易カッターである。
【発明の効果】
【０００６】ペーパーホルダーより垂れ下がっているペーパー端部を片手にてつかみ、水平方向もしくは地面側にペーパーを引きだす。次に希望する位置にてペーパーをカットする時は、ペーパー端部をを天井側に引き上げる事によりペーパーがロックされてペーパーがカットされる。以上に依りペーパーホルダーより片手操作のみにてペーパーを取り出して片手のみにてペーパーをカットする。
【図面の簡単な説明】
【０００７】
【図１】本発明の斜視図である。
【図２】ペーパーが垂れ下がった状態の同側面図である。
【図３】ペーパーを引き出している状態の同側面図である。
【図４】ペーパーをカットする状態の同側面図である。
【図５】図１の分解図である。
【発明を実施するための形態】
【０００８】以下、本発明を実施するための最良の形態について説明する。
実施例として、図１、図２、図３、図４、図５によって、ペーパーホルダーに基づいて説明する。
図１は、本発明の斜視図、図２は、ペーパーが垂れ下がった状態の同側面図、図３は、ペーパーを引き出している状態の同側面図、図４は、ペーパーをカットする状態の同側面図、図５は、図１の分解図である。
ペーパーホルダー本体（４）の前部にカムロックアーム（１）を設ける。ペーパーを引き出す時はペーパーを水平方向もしくは地面側に引きだす。この時はカムロックアーム（１）は中間状態なのでペーパーは自由に引き出せる。次に希望する位置にてペーパーをカットする時は、ペーパーを天井側に引き上げると、てこの原理によりカムロックアーム（１）は容易に回転する。するとカムロックアーム（１）のもう一方の端部と本体アンダーカバーの突起部にてペーパーが強力に挟まれてペーパーをロックする。さらにペーパーを引くとことに依りカッタープレート（２）の刃部にてペーパーがカットされる。
するとペーパー端部は地面側に十分な長さの量が垂れ下がった状態となる。
【符号の説明】
【０００９】１  カムロックアーム
２  カッタープレート
３  本体アンダーカバー
４  ペーパーホルダー本体
５  上部カバー
６  ロール式ペーパー
【図１】
2013220341.tif 000003
【図２】
2013220341.tif 000004
【図３】
2013220341.tif 000005
【図４】
2013220341.tif 000006
【図５】
2013220341.tif 000007
(57)【要約】【課題】大きな花瓶に花を生ける際、生け花が少ないと生け花が花瓶に寄りかかって思い通りの配置で見栄え良く生けることが難しい問題点をなくすことができるようにする。【解決手段】花瓶の上下に生け花用花留めクリップを取り付ける。左右のクリップは中心部及び周囲に空間が設けられ、ピンを介して結合されコイルバネで常時閉じられることで花の位置を自在に固定できる。【選択図】図１
2013220342.tif 000002
【特許請求の範囲】
【請求項１】
２個で１対のクリップ１、２は、中央でピン４又は嵌合により連結され、コイルバネ３を介して、常時閉じ、必要に応じて開く機構を備えたことを特徴とする生け花用花留めクリップ。
【請求項２】
クリップ１、２には、中央部とその外縁の周囲に空間が設けられていることを特徴とする生け花用花留めクリップ。
【請求項３】
クリップ１、２の中央部の生け花が当たる周囲には、弾性体よりなる緩衝材５を取り付けた請求項１及び２の生け花用花留めクリップ。
【発明の詳細な説明】
【発明の詳細な説明】
【技術分野】
【０００１】  本発明は、生け花を花瓶に生ける際、思った位置に見栄えよく生けるための生け花用花留めクリップ。
【背景技術】
【０００２】  花瓶の生け花用花留めは、剣山に刺して固定するか又は、生け花の本数大きさに合った花瓶に生けている。
【発明が解決しようとする課題】
【０００３】  従来の生け花用花留めの剣山にあっては細い幹の花やあるいは、生け花に対して花瓶が大きすぎると、思い通りの配置に生けることが出来ないという問題点があった。
【０００４】  本発明は、生け花の幹が細くても又１本あるいは数本でも、かつ花瓶の大きさに影響されず思った位置に容易に固定することを目的としている。
【課題を解決するための手段】
【０００５】  上記目的を解決するために、本発明の生け花用花留めクリップは、中央部を広げることで幹の大小にかかわらず生け花を挿すことができ、コイルバネで固定できる又周囲に空間を設け本数が多い場合はここにも挿すことができる。
【０００６】  上記を取り付ける位置は、花瓶の形状に合わせ最適な箇所に取り付けるとよい。
【０００７】  上記を取り付け後、生け花を１本でも数本でも思いの位置に容易に差し込んで生けることができる。
【発明を実施するための形態】
【０００８】  以下、添付した図面によりこの発明の実施の形態を説明する。
【０００９】  図１及び図２を参照して説明すると、クリップ１とクリップ２は樹脂等の軽量材で作られピン４で接続されている。このピン４の周囲にコイルバネ３がクリップ１とクリップ２に接合され組立て形成されている。
【００１０】  クリップ１及びクリップ２の中心部と周囲に空間を設け、クリップの大きさにより空間に仕切りが設けられている。
【００１１】  図３を参照して説明すると、花瓶の中に生け花用花留めクリップを上下に配置して取り付ける。この生け花用花留めクリップは、花瓶の大きさに合わせて大小取り揃えておく。
【発明の効果】
【００１２】  本発明に従って構成された生け花用花留めクリップによれば、花瓶の大小あるいは花の本数や大きさにかかわらず思い通りに生け花を配置することができる生け花用花留めクリップが提供される。
【図面の簡単な説明】
【図１】  本発明に従って構成された生け花用花留めクリップの正面図
【図２】  図１のＡ−Ａ矢印方向にみた断面図
【図３】  使用時の側面図
【符号の説明】        １    クリップ１
２    クリップ２
３    コイルバネ
４    ピン
５    緩衝材
【図１】
2013220342.tif 000003
【図２】
2013220342.tif 000004
【図３】
2013220342.tif 000005
(57)【要約】【課題】  本発明は、気温の高い時に、冷たい飲み物を入れた容器からのしたたれた水滴により、テーブルや衣服を濡らした物を、その都度ふき取ることなく、容器からのしたたれた水滴を吸水させるコースターを提供する。【解決手段】  吸水袋の開口部にゴムバンドを取りつけ、容器の底に被せ、どんな形の底の容器にも着脱可能にしたことを特徴とし、冷たい飲み物を入れた容器の水滴でテーブルや衣服が濡れないようにしたコースターである。【選択図】図２
2013220339.tif 000002
【特許請求の範囲】
【請求項１】
吸水性に富む材質を用いた吸水袋において開口部にゴムバンドを取り付けたことを特徴とする容器底万能形着脱式吸水コースター。
【発明の詳細な説明】
【技術分野】
【０００１】  本発明は、気温の高い時に冷たい飲み物を入れた容器の底に被せ、容器の表面の水滴のしたたれで、テーブルや衣服を濡らさないよう吸水を行なう容器底万能形着脱式吸水コースターに関するものである。
【背景技術】
【０００２】  従来は、気温の高い時に冷たい飲み物を入れた容器の水滴のしたたれにより、テーブルや衣服を濡らすことがあった。
【発明の概要】
【発明が解決しようとする課題】
【０００３】  そのために、次のような問題点が生じていた。
テーブルや衣服が、したたれた水滴により濡れ、その都度ふき取って面倒だった。
本発明は、以上の問題点を解決するものである。
【課題を解決するための手段】
【０００４】  吸水性に富む材質を用いた吸水袋において開口部にゴムバンドを取り付け、容器の底に被せる。
以上を特徴とする容器底万能形着脱式コースターである。
【発明の効果】
【０００５】  気温の高い時に、冷たい飲み物を入れた容器からのしたたれた水滴によるテーブルや衣服の濡れをふき取るわずらわしさがなくなった
吸水袋の開口部にゴムバンドを取り付けることにより、どんな形の容器の底にも対応できるようになり着脱も可能である。又、ゴムバンドの伸縮により容器に密着し、コースターを取り付けたまま容器の移動ができる。なお、吸水されたコースターは、洗い乾燥させる事により、何度でも使用が可能である。
【図面の簡単な説明】
【０００６】
【図１】  本発明の斜視図
【図２】  本発明を取り付けた状態を示す斜視図
【発明を実施するための形態】
【０００７】  以下、本発明の実施の形態について説明をする。
吸水袋（１）の開口部にゴムバンド（２）を取り付ける。
本発明は以上の構造からなるコースターである。
本発明を使用する時は、吸水袋（１）の開口部に、ゴムバンド（２）を取りつけたコースターを容器（３）の底に被せる。気温の高い時に、冷たい飲み物を入れた容器からのしたたれた水滴は、吸水袋（１）に吸水されテーブルや衣服を濡らさないため、その都度テーブルや衣服の濡れをふき取る必要がない。又、装着部がゴムバンド（２）式なので、着脱は自由にできる。
【符号の説明】
【０００８】１  吸水袋
２  ゴムバンド
３  容器
【図１】
2013220339.tif 000003
【図２】
2013220339.tif 000004
(57)【要約】      （修正有）【課題】片手が不自由な方は旅先ではタオルを使用して体を洗う場合、洗いにくくボディーブラシが必要となりますがホテルには常備されておらず、それを解消するために携帯のボディーブラシを提供する。【解決手段】本体１のブラシ部２に伸縮式の柄５、６を伸ばした時に抜け落ちないように止めの突起３、４で固定する。携帯時にブラシ部が痛まないように保護するネジ込み式８のキャップ７を設けること。【選択図】図１
2013220336.tif 000002
【特許請求の範囲】
【請求項１】
柄を収縮式にしてブラシ部にキャップを取り付けられる携帯ボディーブラシ。
【発明の詳細な説明】
【技術分野】
【０００１】  この発明は、旅先でもボディーブラシが使えるように持ち運びを容易にする為に柄を収縮式にし、ブラシが痛まないようにブラシ部にキャップを用いた携帯用ボディーブラシである。
【背景技術】
【０００２】  片手が不自由になりタオルが使いにくくなった為に出張や旅先で体を洗うため、収縮式の柄を用いブラシ部をキャップで保護した携帯式のボディーブラシを考案しました。
【先行技術文献】
【０００３】
【特許文献１】
【非特許文献１】
【発明の概要】
【発明が解決しようとする課題】
【０００４】  持ち運びのできる携帯式のボディーブラシが無いことから考案したものである。
【課題を解決するための手段】
【０００５】  柄を収縮式にし、またブラシを保護する為ブラシ部にネジ式のキャップを設けたボディーブラシです。
【発明の効果】
【０００６】  （イ）柄が収縮するので携帯が楽である。
（ロ）持ち運び時にブラシが痛まないようにブラシ部にネジ式のキャップを設けるのでブラシが痛まない。
【図面の簡単な説明】
【０００７】
【図１】  本発明の断面図である。
【図２】  本発明の正面図である。
【発明を実施するための形態】
【０００８】  以下、本発明を実施するための形態について説明する。
スライド式の柄（５）（６）を突起（３）（４）で止まるようにして本体（１）付属のブラシ（２）の柄を伸ばす。
ブラシは持ち運び時に痛まないようにキャップ（７）をネジ（８）にて固定し、蓋をして保護するものである。
【符号の説明】
【０００９】  １  本体
２  ブラシ
３  止め突起  １
４  止め突起  ２
５  伸縮アーム  １
６  伸縮アーム  ２
７  キャップ
８  ネジ
【図１】
2013220336.tif 000003
【図２】
2013220336.tif 000004
(57)【要約】【課題】  本発明は、顔のほうれい線を内側からマッサージしようとすると、指が汚れたり、見た目が悪くなってしまうので、ほうれい線を内側からマッサージできるように工夫した美容マッサージ具を提供する。【解決手段】  棒の先端に丸みを設けた押し当て部を設け、棒に曲がりを設け、棒の中部に押さえ部を設け、棒の後部に手持ち部を設け、手持ち部の後部に二つ丸みを設けたことを特徴とする美容マッサージ具。【選択図】図１
2013220337.tif 000002
【特許請求の範囲】
【請求項１】
棒の先端に丸みを設けた押し当て部を設け、棒に曲がりを設け、棒の中部に押さえ部を設け、棒の後部に手持ち部を設け、手持ち部の後部に二つ丸みを設けたことを特徴とする美容マッサージ具。
【発明の詳細な説明】
【技術分野】
【０００１】  本発明は、顔のほうれい線を内側からマッサージしようとすると、指が汚れたり、見た目が悪くなってしまうので、ほうれい線を内側からマッサージできるように工夫した美容マッサージ具に関するものである。
【背景技術】
【０００２】  従来、顔のほうれい線をなくすためには、外側から器具を使いマッサージするか、指を顔の内側から直接いれてマッサージしていた。
【先行技術文献】
【特許文献】
【０００３】
【特許文献１】特開２０１０−１２１８８号広報
【発明の概要】
【発明が解決しようとする課題】
【０００４】  内側から直接指を入れてのマッサージは困難で見た目も美しくないため、内側から指を使わずにほうれい線をマッサージするのは、不可能だった。
本発明は、以下の問題点を解決するためになされたものである。
【課題を解決するための手段】
【０００５】  棒の先端に丸みを設けた押し当て部を設け、棒に曲がりを設け、棒の中部に押さえ部を設け、棒の後部に手持ち部を設け、手持ち部の後部に二つ丸みを設ける。
以上の構成によりなる美容マッサージ具。
【発明の効果】
【０００６】  従来、不可能とされてきた、指を使わない内側からほうれい線のマッサージを可能にし、簡単にほうれい線のマッサージができる。
本発明は、ほうれい線だけではなく、顔のほかの部分、リンパのマッサージもできる。
【図面の簡単な説明】
【０００７】
【図１】  本発明の正面図である。
【図２】  本発明を横からみた説明図である。
【図３】  本発明のキャップの説明図である。
【図４】  本発明のキャップの説明図である。
【発明を実施するための形態】
【０００８】  以下、本発明の実施の形態を説明する。
（イ）曲線状の棒（１）の先端に、球状の押し当て部（２）を設ける。
（ロ）棒（１）の中部に押さえ部（３）を設ける。
（ハ）棒（１）の後部に手持ち部（４）を設ける。
（ニ）手持ち部（４）の後部に半球状の押し部（５）、押し部（６）を設ける。
（ホ）手持ち部（４）の中部に曲がり部（７）を設ける。
（ヘ）押し当て部（２）にキャップ（８）を設ける。
（ト）キャップ（８）の表面に鏡（９）を設ける。
本発明は、以上のような構造である。
本発明を使用するときは、キャップ（８）から棒（１）をはずし、手持ち部（４）を持ち、棒（１）を押し当て部（２）から口の中に入れ、押し当て部（２）を上唇の内側に当てる。
このとき、押さえ部（３）に親指を添えて、押し当て部（２）を上下、または左右に動かし、ほうれい線を内側から刺激する。
また、棒（１）を逆さに持ち、曲がり部（７）を指で押し、手持ち部後部にある押し部（５）、押し部（６）、を直接顔の表面や、首の付け根に押し当てて使用する。
押し部（５）、押し部（６）が半球状になっているので、顔の各部または首の付け根に押し当てることにより、顔の各部のマッサージ、リンパを刺激することができる。
【符号の説明】
【０００９】１  棒
２  押し当て部、
３  おさえ部、
４  手持ち部、
５  押し部、
６  押し部
７  曲がり部
８  キャップ
９  鏡
【図１】
2013220337.tif 000003
【図２】
2013220337.tif 000004
【図３】
2013220337.tif 000005
【図４】
2013220337.tif 000006
(57)【要約】      （修正有）【課題】両面テープをカットする方法は、はさみで行っているがはさみの刃部に接着剤が付着して切れ味に支障が出て困っている。また剥離紙を爪先にかけて剥離を行っているが特に薄い剥離紙や爪先に異常のある場合はなかなか爪先に掛からずまた接着面と共に剥離することがありいらいらする事が多いので簡単な形状で容易にカットと剥離ができる兼用の器具を提供する。【解決手段】１、本体１の先端部にカッター２を両面テープに対し直角に両側には保持枠３を設けて直線状の後端部に一部を切除して鋭角状の刃先４を成形する。２、上記の後端部に間隔を開けて向い合わせの鋭角状の刃先を成形する。３、本体の小穴にストラップを挿着し両面テープの枠に取り付けて常時使用できるようにしている。【選択図】図２
2013220944.tif 000002
【特許請求の範囲】
【請求項１】
本体の先端部に両面テープに対し直角にカッターを両側には保持枠を設けて後端部に鋭角状の刃先をつけた両面テープ剥離紙のカッター付き剥離具
【請求項２】
上記の後端部に間隔を開けて向い合わせの鋭角状の刃先を設けた請求項１の両面テープ剥離紙のカッター付き剥離具
【請求項３】
本体の小穴にストラップを挿着した。請求項１、２の両面テープ剥離紙のカッター付き剥離具
【発明の詳細な説明】
【技術分野】
【０００１】本発明は両面テープ剥離紙のカッター付き剥離具に関する。
【背景技術】
【０００２】現在では多くの分野において両面テープが多用されている、両面テープは２つの面の接着のために用いられる手段の１つであるが接着剤と比べて接着作業や取扱いが容易で工作、手芸等にも大人から子供まで広く利用されている。【０００３】従来両面テープの剥離紙をカットする方法として従来からはさみで行っている。また剥離紙を剥離する方法として爪先で行っている。先行技術としては多く開示されているが卓上用のカッターの改造や製造工程において剥離紙の加工が必要で両面テープ本体でのカットと剥離ができるものは見当たらない。
【先行技術文献】
【特許文献】
【０００４】
【特許文献１】実登３０５６３３５
【特許文献２】特許公開２００５−１７９６２１
【特許文献３】特許公開２００７−３０８５２３
【発明の概要】
【発明が解決しようとする課題】
【０００５】両面テープをカットする方法は、はさみで行っているがはさみの刃部に接着剤が付着して切れ味に支障が出て困っている。また剥離紙を爪先にかけて剥離を行っているが特に薄い剥離紙や爪先に異常のある場合はなかなか爪先に掛からずまた接着面と共に剥離することがありいらいらする事が多いので簡単な形状で容易にカットと剥離ができる兼用の器具を提供する。
【課題を解決しようとする手段】
【０００６】１、本発明は上記した目的を達成するため本体の先端部にカッターを両面テープに対し直角に両側には保持枠を設けて直線状の後端部に一部を切除して鋭角状の刃先を成形する。
２、同じく上記の後端部に間隔を開けて向い合わせの鋭角状の刃先を成形する。
３、この向い合わせの鋭角状の刃先は使用に際して表裏どちらでも直ぐに対応できるためである。
４、カッターは鋸刃状としても差し支えはない。
５、上記の直線状の一部を切除しての刃先は直接触れても刺さることがないので安全である。
６、また使用に際して直線状の後端部が剥離紙の上になれば刃先がその段差により微妙に上向き接着面上の剥離紙に対応する。
７、本体の小穴にストラップを挿着し両面テープの枠に取り付けて常時使用できるように
【０００７】本発明は上記の如く簡単な形状で、テープの所定の位置にカッターを当てて保持枠をテープに嵌合し指先でテープと共に強く挟み剥離紙の端から千切ると容易にカットできる。
２、剥離は剥離紙の切り口に刃先を遊動すると刃先に剥離紙のみが掛かるので少し上げると容易に剥離することができる。
３、ストラップで両面テープの枠体に常時付けているので直ぐに使用できる。
【図面の簡単な説明】
【０００８】
【図１】本発明の請求項１の実施の一例を示す斜視図
【図２】本発明の請求項２の実施の一例を示す内側の斜視図。
【図３】本発明を両面テープの枠体に設けた状態を示す斜視図
【発明を実施するための形態】
【０００９】以下、図面を参照して本発明の実施するための形態を説明する。
１、本体の先端部にカッターを両面テープに対し直角に両側には保持枠を設けて直線状の後端部に一部を切除して鋭角状の刃先をつける。
２、同じく上記の後端部に間隔を開けて向い合わせの鋭角状の刃先を設ける。
３、この向い合わせの鋭角状の刃先は使用に際して表裏どちらでも直ぐに対応できるようにしている。
４、カッターは鋸刃状としても差し支えはない。
５、上記の直線状の一部を切除しての刃先は直接触れても刺さることがないので安全である。
６、また使用に際して直線状の後端部が剥離紙の上になれば刃先がその段差により微妙に上向き接着面上の剥離紙に対応する。
７、本体の小穴にストラップを挿着し両面テープの枠に取り付けて常時使用できるようにしている。
８、材質はプラスチックでも差支えない。
【００１０】本発明は上記の如く簡単な形状で、テープの所定の位置にカッターを当てて保持枠３をテープに嵌合し指先でテープと共に強く挟み剥離紙の端から千切ると容易にカットできる。
２、剥離は剥離紙の切り口に刃先を遊動すると刃先に剥離紙のみが掛かるので少し上げると容易に剥離することができる。
３、ストラップで両面テープの枠体に常時付けているので直ぐに使用できる。
【符号の説明】
【００１１】１    本体
２    カッター
３    保持枠
４    刃先
５    ストラップ
６    両面テープの枠体
７、  小穴
【図１】
2013220944.tif 000003
【図２】
2013220944.tif 000004
【図３】
2013220944.tif 000005
(57)【要約】【課題】  地震発生時に加工装置が損傷する恐れを低減可能な加工装置を提供することである。【解決手段】  加工装置であって、被加工物を保持する保持手段と、該保持手段に保持された被加工物に加工を施す加工装置項手段と、少なくとも該保持手段と該加工手段とを収容するハウジングと、を含む加工装置本体と、該加工装置本体を支持する免震支持手段と、を具備したことを特徴とする。【選択図】図１
2013220506.tif 000002
【特許請求の範囲】
【請求項１】
加工装置であって、
被加工物を保持する保持手段と、該保持手段に保持された被加工物に加工を施す加工装置項手段と、少なくとも該保持手段と該加工手段とを収容するハウジングと、を含む加工装置本体と、
該加工装置本体を支持する免震支持手段と、
を具備したことを特徴とする加工装置。
【発明の詳細な説明】
【技術分野】
【０００１】
本発明は、被加工物に加工を施す切削装置、研削装置等の加工装置に関する。
【背景技術】
【０００２】
例えば、半導体デバイスの製造プロセスでは、表面にＩＣやＬＳＩ等の回路素子が複数形成された半導体ウエーハは、研削装置や研磨装置で裏面が研削、研磨されて所定の厚みへと薄化される。その後、薄化された半導体ウエーハが切削装置で切削されて個片化されることで各種の半導体デバイスが製造されている。
【０００３】
半導体デバイスプロセスで使用される加工装置は、切削装置、研削装置、研磨装置、バイト切削装置、レーザー加工装置等を含むものであり、これらの加工装置は特開平１０−２７４３９０号公報に開示されるような脚部を有しており、工場等の床に直接載置されている。
【先行技術文献】
【特許文献】
【０００４】
【特許文献１】特開平１０−２７４３９０号公報
【発明の概要】
【発明が解決しようとする課題】
【０００５】
しかし、特許文献１に開示されたような脚部を有する加工装置では、地震発生時には加工装置が移動して、他の装置や壁に激突し損傷する恐れがあった。
【０００６】
本発明はこのような点に鑑みてなされたものであり、その目的とするところは、地震発生時に加工装置が損傷する恐れを低減可能な加工装置を提供することである。
【課題を解決するための手段】
【０００７】
本発明によると、加工装置であって、被加工物を保持する保持手段と、該保持手段に保持された被加工物に加工を施す加工装置項手段と、少なくとも該保持手段と該加工手段とを収容するハウジングと、を含む加工装置本体と、該加工装置本体を支持する免震支持手段と、を具備したことを特徴とする加工装置が提供される。
【発明の効果】
【０００８】
本発明の加工装置では、加工装置本体が免震支持手段によって支持されているため、地震発生時においても加工装置本体が地震の揺れで移動する恐れを低減でき、加工装置が損傷する恐れを低減できる。
【図面の簡単な説明】
【０００９】
【図１】本発明実施形態の加工装置の一部透視外観斜視図である。
【発明を実施するための形態】
【００１０】
以下、本発明の実施形態を図面を参照して詳細に説明する。図１を参照すると、本発明実施形態に係る加工装置２の一部透視外観斜視図が示されている。
【００１１】
加工装置２は例えば切削装置から構成され、骨組み（骨格）４内に切削装置の機械的構成要素であるチャックテーブル、切削ブレードを備えた切削ユニット、ウエーハの切削すべき領域を検出する撮像装置を備えたアライメントユニット、スピンナ洗浄装置、ウエーハを搬送する搬送装置等が収容されている。
【００１２】
符号６，８，１０は加工装置２の骨組み４に取り外し可能に装着される外装カバーであり、これらの外装カバー６，８，１０及び骨組み４に固定された複数のパネル１２によりハウジング１４が構成される。
【００１３】
オペレータが加工装置２を操作する操作側には、オペレーション表示モニタ１６が配設されている。このオペレーション表示モニタ１６はタッチパネル式であり、オペレータがモニタ１６に表示された情報にタッチすることにより、加工装置にコマンドを入力することができるとともに、加工装置２の稼動状況がこのモニタ１６上に表示される。
【００１４】
１８は加工装置２の稼動状況を表示する表示ランプであり、加工装置２が正常作動時には例えば緑色で点灯し、何らかの故障が生じた場合には赤色が点滅する。２０は非常停止ボタンであり、オペレータがこの非常停止ボタン２０を押すと加工装置２の作動を直ちに停止することができる。
【００１５】
加工装置２の操作側には、扉２２，２４が設けられている。例えば、加工装置２のチャックテーブルにウエーハを装着したり、又はスピンドルに装着された切削ブレードを交換したい場合等には、これらの扉２２，２４を開閉して作業を実施する。加工装置２の底部には骨組み４に連結されて４個（３個のみ図示）の免震ゴム２６が配設されている。これらの免震ゴム２６により加工装置２が支持されている。
【００１６】
本実施形態の加工装置２は、底部に免震ゴム２６を備え、免震ゴム２６によって支持されているため、地震発生時において加工装置が地震の揺れで移動する恐れを低減でき、加工装置２が損傷する恐れを低減できる。
【符号の説明】
【００１７】
２      加工装置
４      骨組み（骨格）
６，８，１０    外装カバー
１２    パネル
１４    ハウジング
１６    オペレーション表示モニタ
２６    免震ゴム
【図１】
2013220506.tif 000003
(57)【要約】      （修正有）【課題】タブレット型端末にＣＤ／ＤＶＤドライブやスロットルを提供する。【解決手段】タブレット型端末にＣＤ／ＤＶＤドライブやスロットルを付加する。【選択図】なし【特許請求の範囲】
【請求項１】
従来の「タブレッド型端末（いわゆるｉＰａｄ、ｉＰａｄ２）などのアプリケーションによるシステムは踏襲しながらも、ＵＳＢメモリやｉｔｕｒｎｅ（アイチューン）やネットダウンロードだけでなく、従来のタブレット型端末にＤＶＤやＣＤの録再生用のドライブレコーダ機器をつくり、ＵＳＢやＳＤカードだけでなく従来のタブレット型端末でＤＶＤ再録、ＣＤ再録を可能にする発明である。
【発明の詳細な説明】
【技術分野】
【０００１】  本発明は従来のｉＰａｄ、ｉＰａｄ２などのタブレット型端末にＵＳＢメモリーやＳＤカードだけでなくＤＶＤ  ＣＤドライブをつくり新らしい使用方法を規した発明である。
【従来技術】
【０００２】  従来のタブレット端末にはＣＤ  ＤＶＤドライブがなかった。
【発明が解決しようとしている課題】
【０００３】  従来のタブレット端末にはＣＤ  ＤＶＤドライブがなかった。
【悩みを解決する手段】
【０００４】  従来のタブレット端末にＣＤ  ＤＶＤドライブを追加する。
【発明の効果】
【０００５】  タブレット端末でＣＤ  ＤＶＤパフォーマンスできる
【発明を実施するための形態】
【０００６】  従来のタブレット端末でＣＤ  ＤＶＤパフォーマンスできる。
(57)【要約】      （修正有）【課題】携帯性と室外での使用を重視した、身体に装着して使用する、逆立ち及び前方倒立回転跳び補助器具を提供する。【解決手段】ベース板１に支柱先端部１０と長さ調整が出来る支柱１２、１３をつけた中央回動部３を設ける。支柱１２、１３は本体外部からの力が加わらない時は、弾性体９の力によりベース板１にある角度調整ボルト６の位置で静止している。ベース板１には腰部ベルト１６がつき、身体に装着して使用する。使用時は、必要に応じて身体の動きに連動して支柱先端部１０及び中央回動部３が動き、支柱１２、１３は身体を支える。又、支柱１２、１３は支柱先端部１０が地面等の接地面から離れると同時に、弾性体９の力により角度調整ボルト６の初期設定位置まで自動で戻る。【選択図】図１
2013233402.tif 000002
【特許請求の範囲】
【請求項１】
人の腰部に締め付ける腰部ベルトがついたベース板に逆立ちをする時や前方倒立回転跳びをする時に人の体重の一部を支える支柱がつき、当該支柱の長さとベース板と支柱との相対角度を変えられるようにしたことを特徴とする逆立ち及び前方倒立回転跳び補助器具。
【請求項２】
前記の支柱は前記のベース板との相対角度が１５度から２２０度の範囲で回動し、弾性体の力で初期設定位置まで戻るようにしたことを特徴とする請求項１記載の逆立ち及び前方倒立回転跳び補助器具。
【発明の詳細な説明】
【技術分野】
【０００１】本発明は、適度な角度がついた支柱を、腰部ベルト等で身体に装着して使用することにより、簡単に逆立ちが出来るものである。又、その支柱は身体の動きに連動して動き、弾性体の力により自動で初期設定位置まで戻るので、前方倒立回転跳びも簡単に出来る、逆立ち及び前方倒立回転跳び補助器具に関するものである。
【背景技術】
【０００２】従来、逆立ち器具に関連するものは、携帯性と室外での使用を重視したものはなく、又、電力等を必要とするものにおいては、大型で構造も複雑であり重量も重かった。
又、従来、前方倒立回転跳びを補助する専用の器具はなかった。
【先行技術文献】
【０００３】
【特許文献１】実開平５−６２２７７号広報
【特許文献２】特開平６−１８２０００号広報
【特許文献３】特開２０００−９３４７０号広報
【特許文献４】特開２００１−２２４７０６号広報
【発明の概要】
【発明が解決しようとする課題】
【０００４】従来、逆立ち器具に関連するものは、携帯性と室外での使用を重視したものはなく、又、電力等を必要とするものにおいては、大型で構造も複雑であり重量も重かった。
上記の理由等により、容易に携帯しての持ち運び及び、室外での自由な使用は困難であった。
又、従来、前方倒立回転跳びを補助する専用の器具はなかった。
従来、逆立ち器具に関連するものの主な使用目的は、健康の維持、増進であり、それらの使用目的プラス、レクリエーション、遊具、スポーツ等としての使用も主な使用目的となるものはなかった。
本発明は、以上のような課題を解決するためになされたものである。
【課題を解決するための手段】
【０００５】本発明は、ベース板に支柱先端部と長さ調整が出来る支柱をつけた中央回動部を設ける。支柱は本体外部からの力が加わらない時は、弾性体の力によりベース板にある角度調整ボルトの位置で静止している。ベース板には腰部ベルトがつき、身体に装着して使用する。使用時は、必要に応じて身体の動きに連動して支柱先端部及び中央回動部が動き、支柱は身体を支える。又、支柱は支柱先端部が地面等の接地面から離れると同時に、弾性体の力により角度調整ボルトの初期設定位置まで自動で戻る。
【発明の効果】
【０００６】身体に装着して使用する構造なので、重量も軽く非常に携帯性に優れている。持ち運びも容易なので、時間場所を問わず簡単に逆立ち及び前方倒立回転跳びが出来る。又、身体に装着した状態でジョギング等の他の運動や体操も可能であり、それらの運動や体操中に、逆立ち及び前方倒立回転跳びを組み入れることも出来る。健康の維持、増進及び、フィットネス、レクリエーション、遊具、スポーツ等の目的で使用することにより、多くの人に心身の健康を寄与するものである。
【図面の簡単な説明】
【０００７】
【図１】  本発明の斜視図である。
【図２】  本発明の正面図である。
【図３】  本発明の腰部ベルトを締めた状態の側面図である。
【図４】  本発明を身体に装着した状態の側面図である。
【図５】  本発明で逆立ちをした状態の側面図である。
【図６】  本発明で前方倒立回転跳びをした時の概念図である。
【発明を実施するための形態】
【０００８】以下、本発明を実施するための形態について説明する。
ベース板に支柱先端部と長さ調整が出来る支柱をつけた中央回動部を設ける。支柱は本体外部からの力が加わらない時は、弾性体の力によりベース板にある角度調整ボルトの位置で静止している。ベース板には腰部ベルトがつき、身体に装着して使用する。
使用時は、必要に応じて身体の動きに連動して支柱先端部及び中央回動部が動き、支柱は身体を支える。又、支柱は支柱先端部が地面等の接地面から離れると同時に、弾性体の力により角度調整ボルトの初期設定位置まで自動で戻る。又、体形の異なる人も使用出来るように、長さ調整穴、長さ調整ボルト、角度調整ボルトにより支柱の長さと角度を調整出来る。
本発明は、以上のような構造である。
逆立ちを行なう時は、腰部ベルトで身体に装着して、通常の逆立ちを行なう動作をする。支柱が前方に倒れようとする身体を支えるので、簡単に逆立ちをすることが出来る。
前方倒立回転跳びを行なう時は、腰部ベルトで身体に装着して、勢いよく通常の逆立ちの動作をすることにより、身体の動きに連動して支柱先端部及び中央回動部が動き、支柱は動きながら身体を支え、身体は足より前方に半円をかくように移動して着地し、簡単に前方倒立回転跳びをすることが出来る。
その際、支柱は支柱先端部が地面等の接地面から離れると同時に、弾性体の力により角度調整ボルトの初期設定位置まで自動で戻るので、途切れなく連続して前方倒立回転跳びを行なうことが出来る。
【符号の説明】
【０００９】１    ベース板
２    腰部ベルト接合ボルト
３    中央回動部
４    中央回動部軸
５    角度調整部
６    角度調整ボルト
７    ベース板弾性体連結部
８    支柱弾性体連結部
９    弾性体
１０  支柱先端部
１１  支柱先端部軸
１２  １段目支柱
１３  ２段目支柱
１４  長さ調整穴
１５  長さ調整ボルト
１６  腰部ベルト
１７  腰部ベルト面ファスナー部
１８  角カン
【図１】
2013233402.tif 000003
【図２】
2013233402.tif 000004
【図３】
2013233402.tif 000005
【図４】
2013233402.tif 000006
【図５】
2013233402.tif 000007
【図６】
2013233402.tif 000008
(57)【要約】【課題】  従来の焼肉用調理プレートは、加熱で生じた食肉の肉汁（油脂）は廃棄処分していた。肉汁を廃棄処分しないで回収し、資源として再利用可能にする調理プレートの提供。【解決手段】  上記課題を解決するために、請求項１に記載の発明は、調理プレートの調理面は、食肉を載置する載置部と加熱で食肉から生じた肉汁（油脂）を流す傾斜溝と傾斜溝を流れた肉汁が合流する傾斜の合流溝と同合流溝下方に肉汁が流出する流出孔を形成した調理プレートでもって、肉汁の回収を効率よく行うことにする。【選択図】図２
2013233404.tif 000002
【特許請求の範囲】
【請求項１】
焼肉用調理プレートの調理面は、食肉を載置する載置部と肉汁が流れる傾斜溝と肉汁が合流する合流溝と同合流溝下方に流出孔を形成してなる調理プレート。
【請求項２】
請求項１の調理プレート下にフィルター付受口および加熱器を配置した焼肉用調理器。
【発明の詳細な説明】
【技術分野】
【０００１】  本発明は、調理プレート上で食肉を加熱した際、食肉より生じた肉汁（油脂）は、廃棄処分していた焼肉用の調理プレートに関するものである。
【背景技術】
【０００２】  従来の食肉を加熱する調理プレートは、調理面を傾斜させた溝で、加熱により生じた食肉の肉汁（油脂）を排出孔に流し、排出孔下に配置した肉汁受皿に溜めたのち廃棄処分されていた。【０００３】  焼肉用調理プレートに関する先行技術は以下に示すとおりである。【０００４】  特開平９−１５４７４５の調理プレートは、プレート表面の中央より左右に傾斜を付けた溝を設け、この溝の両端面に肉汁が落ちる開口部を設け、同プレート下に水を張る受け皿を設けた「電磁焼肉装置」が提案されている。【０００５】  特開２００１−６１６７２の調理用焼き板は、周辺部から中央に向けた傾斜する凹状に肉汁など不要流動物が流れ込んで排出される貫通孔が穿設され、貫通孔から排出される流動物は、貫通孔下の配置の水受皿に溜める「加熱調理用焼き板」が提案されている。
【先行技術文献】
【特許文献】
【０００６】
【特許文献】  特開平９−１５４７４５公報
【特許文献】  特開２００１−６１６７２公報
【発明が解決しようとする課題】
【０００７】  本発明は、調理プレート上で食肉を加熱調理の際、加熱で生じた肉汁（油脂）は廃棄処分されていたが、この肉汁を効率よく回収し、資源として再利用するための焼肉用調理プレートを提供する。
【課題を解決する手段】
【０００８】  上記の課題を解決するために、請求項１に記載の発明の、調理プレート表面は、食肉を載置する載直部と加熱で生じた肉汁を流す傾斜溝と傾斜溝を流れた肉汁が合流する傾斜の合流溝と同合流溝下方の流出孔に向けて流れる肉汁を、流出孔下に配置のフィルター付受口に流して容器に貯溜する。
【０００９】  また、請求項２に記載の発明は、請求項１の調理プレートの下にフィルター付受口および加熱器を配置した焼肉用調理器とする。
【発明の効果】
【００１０】  以上のように、本発明の調理プレートは、食肉を載置する載置部と加熱で食肉から生じた肉汁を流す傾斜溝と同傾斜溝を流れた肉汁は、傾斜の合流溝で合流し、さらに合流溝下方の流出孔に向けて流れる。肉汁は、流出孔から流れおちて流出孔下に配置のフィルター付受口で異物を除き、貯溜容器に送る。
貯溜容器内の肉汁は、資源として処理工場で各種製品となる。
【図面の簡単な説明】
【００１１】
【図１】  本発明の実施例にかかる調理プレートを示す断面図
【図２】  図１における調理プレートの平面図
【図３】  図２の調理プレートのＮ−Ｎ断面図
【発明を実施するための形態】
【００１２】  以下、本発明にかかる調理プレートの実施形態について説明する。
【００１３】  図に示す本発明の調理プレートは、アルミ合金製で、食肉を載置する載直部２と加熱で生じた肉汁を流す傾斜溝３を有し、傾斜溝３の肉汁は矢印方向に流れ傾斜の合流溝４で合流する。
合流の肉汁は矢印方向に流れ同合流溝下方の流出孔５へ流れる。
流出孔５で流れおちた肉汁は、流出孔５下に配置したフィルター付の受口６で肉汁内の異物を除いて送管７を経て貯溜容器８に送る。
貯溜容器８内の肉汁は、再処理工場に移送する。
赤外線ヒーター付１０の加熱器９は、調理プレートの下に配置する。
【符号の説明】
【００１４】  １  調理プレート
２  載置部
３  傾斜溝
４  合流溝
５  流出孔
６  フィルター付受口
７  送管
８  貯溜容器
９  加熱器
１０  赤外線ヒーター
【図１】
2013233404.tif 000003
【図２】
2013233404.tif 000004
【図３】
2013233404.tif 000005